Podtech/llm-jp-corpus-v4-ja_patent huggingface dataset:
(57)【要約】      （修正有）【課題】プリント基板のはんだ付け関連作業において、静電気対策用導電マット上面に落下したはんだ屑・玉が、飛散することによって引き起こされる不具合を防止するため、はんだ屑・玉の飛散を解消する。【解決手段】静電気対策用導電マット上面に突起２を設けることにより、そこに落下したはんだ屑・玉１は、突起部の間に入り蔽われて、作業者の手・衣服等と接触せず、はんだ屑・玉の付着飛散を解決する。その結果、飛散して部品端子間に付着した場合、引き起こされる実装基板の部品破損、動作不良等の不具合を防止するのに役立つ。【選択図】図１
0003136508.tif 000002
【実用新案登録請求の範囲】
【請求項１】
上面に剣山状の突起が設けられたことを特徴とする静電気対策用導電マット。
【請求項２】
上面に角錐状の突起が複数設けられたことを特徴とする静電気対策用導電マット。
【請求項３】
上面に円錐状の突起が複数設けられたことを特徴とする静電気対策用導電マット。
【請求項４】
前記突起は、千鳥状に配置されていることを特徴とする請求項１から３のいずれかに記載の静電気対策用導電マット。
【考案の詳細な説明】
【技術分野】
【０００１】  本考案は、プリント基板のはんだ付け関連の作業において、落下したはんだ屑・玉が飛散しない様にするための突起を設けた静電気対策用導電マットに関するものである。
【背景技術】
【０００２】  プリント基板のはんだ付け等実装関連の作業では、静電気による電子部品の破損防止のため、作業台に静電気対策用導電マットを敷いている。そこに使用される静電気対策用導電マットは上面がゴム製の平面である。なお、上面が繊維、芝生状等の静電気対策用導電マットは、繊維、ほこり、汚れの付着、及び部品リードのひっかかり等の問題があり、プリント基板の実装関連の作業台には使用されていない。
【考案の開示】
【考案が解決しようとする課題】
【０００３】  プリント基板のはんだ付け関連の作業で落下したはんだ屑・玉は、静電気対策用導電マットの上面が平面であるため、上面より突出し、作業者が無意識のうちに手、衣服等に接触して、付着又は転がり飛散する。この飛散したはんだ屑・玉は、直接又は間接的に付近の実装基板に落下することがあり、それが実装基板の微細な電子部品端子間に付着した場合、電気的に短絡して、電子部品が破損したり、実装基板の動作不良など、不具合を引き起こすことがあった。【０００４】  本考案は、上述の不具合の要因である静電気対策用導電マットに落下したはんだ屑・玉が、作業者の手・衣服等に接触して飛散する問題を解決しようとするものである。
【課題を解決するための手段】
【０００５】  本考案の請求項１は静電気対策用導電マット上面に剣山状の突起を設けることにより、落下したはんだ屑・玉は突起の間に入り蔽われ、作業者の手・衣服等は突起上部で遮られて接触しない。そのため接触による飛散がなくなり問題を解決している。【０００６】  請求項２は静電気対策用導電マット上面に複数の角錐状の突起を設けることにより、上述と同様に問題を解決している。【０００７】  請求項３も静電気対策用導電マット上面に複数の円錐状の突起を設けることにより、上述と同様に問題を解決している。【０００８】  請求項４は、突起を千鳥状に配置することで、突起の間に落下したはんだ屑・玉がまっすぐに転がるのを遮り、飛散しにくくしている。
【考案の効果】
【０００９】  上述のように、静電気対策用導電マット上面の複数の突起が、作業中に落下したはんだ屑・玉を蔽い、作業者の手・衣服等との接触による飛散を防ぐ。その結果、飛散して部品端子間が短絡した場合、引き起こされる実装基板の電子部品の破損、動作不良等の不具合を防止するのに役立つ。剣山状、角錐状、円錐状の突起形状は、落下したはんだ屑・玉が、自然に突起の間に転がり入り蔽われ易くしている。また静電気対策用導電マットを反転して上面を下にすることにより、突起の間に入ったはんだ屑・玉は容易に落下除去できる。なお基板と接触する面積が小さいため、静電気対策用導電マットの細かなほこり、汚れが基板へ付きにくい。千鳥状の突起配置が、まっすぐな転がりを遮り、飛散を少なくしている。さらに基板のリードカット作業においても、同様に、落下したカット屑の飛散をなくし、カット屑の短絡による不具合を防止するのに役立つ。
【考案を実施するための最良の形態】
【００１０】  静電気対策用導電マットの材質は、抵抗が約１０の６乗〜８乗オームのゴム製の弾性体で、作業者の電気的安全を確保し、静電気を逃がす機能を有する一般のものと同じ。突起高さは、実装部品のサイズ、リード長さを考慮し、高さ３ｍｍ〜１５ｍｍとする。突起斜面の傾斜角度は、はんだ屑・玉が容易にすべり落ちる６０度〜９０度とする。突起間の間隔は、はんだ屑・玉の大きさから１ｍｍ以上とする。突起の密度は、作業中のプリント基板の保持、バランスを考慮し１平方センチメートル当り１個以上とする。
【実施例】
【００１１】  図１は本考案の静電気対策用導電マットの例で、表面全体に突起２を多数設けている。ここに落下したはんだ屑・玉１は、突起２の間に転がり入る。作業者の手・衣服等は突起２の上部で遮られ接触しないため、落下したはんだ屑・玉１の接触による飛散がない。また突起間に転がり入ったはんだ屑・玉１、千鳥状に配置された突起で遮られ転がり飛散しにくい。それに比較して図２のような従来のものにおいては、上面が平面の静電気対策用導電マット３に、落下したはんだ屑・玉１が、上面より突出するため、接触して、付着又は転がり飛散し易い。
【図面の簡単な説明】
【００１２】
【図１】本考案の静電気対策用導電マットの平面図と縦断面図である。
【図２】従来の静電気対策用導電マットの平面図と縦断面図である。
【符号の説明】
【００１３】    １  落下したはんだ屑・玉
２  本考案の静電気対策用導電マットの突起
３  従来の平らな静電気対策用導電マット
【図１】
0003136508.tif 000003
【図２】
0003136508.tif 000004
(57)【要約】【課題】本考案は、カップ本体に市販の歯ブラシを固定する機能を設けて、片手が不自由な人でもブラシに歯磨き剤を付けることができる。【解決手段】本考案は、カップの上部に歯ブラシを固定するａを設けて、歯ブラシの先端をａに差し込んで、歯ブラシを固定することで、片手が不自由な場合、両手でチューブを絞って歯磨き剤を出して、歯ブラシに付けたりする時に補助するカップである。【選択図】図１
0003136510.tif 000002
【実用新案登録請求の範囲】
【請求項１】
上向きにした歯ブラシをカップ本体１に渡して、把手と相対するカップの上部に設けた固定部ａに差し込むことによって、歯ブラシを手で持たなくて済み、片手の不自由な人が歯を磨く際に補助できる歯ブラシ固定の機能を備えたことを特徴としたカップ。
【考案の詳細な説明】
【技術分野】
【０００１】  本考案は、カップの上部に歯ブラシの固定の機能を備えたカップに関するものである。
【背景技術】
【０００２】  片手が不自由な場合、練り歯磨き剤をチューブから出して、歯ブラシに付ける時、或いは、両手で残り少なくなった歯磨き剤をチューブから押し出して歯ブラシに付ける際に、洗面台に置くなどしていた。
【考案の開示】
【考案が解決しようとす課題】
【０００３】  歯ブラシを不安定な場所に置き、歯磨き剤を歯ブラシに付ける行為は容易でなく、歯磨き剤を落としたりする。また、洗面台に接することは衛生面からみて問題である。
【０００４】  上述より、本考案は歯ブラシを安定よく、衛生的な場所に置くことのできるカップを提供することで、解決しようとするものである。
【課題を解決するための手段】
【０００５】  本考案は、カップの上に歯ブラシを上向きに渡して、歯ブラシのヘッドの先端をカップの上部に設けた固定部に差し込んで使用することによって、歯ブラシの安定性と衛生面を解決する。
【実施例】
【０００６】  以下、添付図面に従って一実施例を説明する。１は合成樹脂等の適宜素材で形成されたカップ本体であり、市販の歯ブラシを上向きに、カップに渡して、歯ブラシの先端を固定部ａに差し込み、歯磨き剤をブラシに付けて使用する。
【図面の簡単な説明】
【０００７】
【図１】本考案を上から見た図である。
【図２】本考案の正面図である。
【図３】歯ブラシを固定した一実施例である。
【符号の説明】
【０００８】１．カップ本体
ａ．固定部
【図１】
0003136510.tif 000003
【図２】
0003136510.tif 000004
【図３】
0003136510.tif 000005
(57)【要約】【課題】  顧客のリビング等の装飾具としての機能を併せ持った芳香具、脱臭具を提供する。【解決手段】非腐食処理された植物３と、芳香剤５又は脱臭具５とを一つの容器２内に収容したことを特徴とする芳香具。【選択図】図１
0003136195.tif 000002
【実用新案登録請求の範囲】
【請求項１】
非腐食処理された植物と、芳香剤又は防臭剤とを一つの容器内に収容したことを特徴とする芳香・防臭具。
【請求項２】
前記植物は、非腐食処理された花であり、前記容器は透明容器であることを特徴とする請求項１に記載の芳香・防臭具。
【考案の詳細な説明】
【技術分野】
【０００１】
本考案は、芳香・防臭具に関するものである。
【背景技術】
【０００２】
近年、リビング等の室内のにおいに過敏になっている人が増え、室内に、芳香剤や防臭剤を配置する人が増えている。
【考案の開示】
【考案が解決しようとする課題】
【０００３】
しかし、従来の芳香剤や防臭剤は、室内に配置されるには、形態的に人工的であって、違和感のあるものが多いため、従来から、室内に配置するに際して、自然な印象を受けて、違和感の少ない状態で使用できる芳香・防臭具が望まれていた。
【０００４】
そこで、本考案は、前記従来技術に鑑みてなされたもので、その目的は、リビング等の室内に、自然な印象を受けて、違和感の少ない状態で使用できるようにした芳香・防臭具を提供するにある。
【課題を解決するための手段】
【０００５】
請求項１に記載の考案は、非腐食処理された植物と、芳香剤又は防臭剤とを一つの容器内に収容したことを特徴とする芳香・防臭具である。
【０００６】
請求項２に記載の考案は、請求項１に記載の芳香・防臭具において、前記植物は花であり、前記容器は透明容器であることを特徴とするものである。
【考案の効果】
【０００７】
請求項１に記載の考案によれば、造花やドライフラワーのような人工的な印象を受けるものではなく、通常の植物を用いるために、家人は自然な印象を受ける環境の中で生活することができる。
【０００８】
請求項２に記載の考案によれば、透明な容器を通して花を観賞することができる。
【考案を実施するための最良の形態】
【０００９】
図１は、本実施形態に係る芳香・防臭具１の外観を示す。
【００１０】
図１に示すように、容器２内には、花３と、花３を刺すことによって花３を支持するクッション材４と、芳香剤５、又は防臭剤５が配置されている。容器２は、ガラス容器のような透明な容器が用いられて、花３を観賞できるようになっている。又、花３としては、非腐食処理された生花が用いられている。花３を非腐食処理する技術としては公知の技術が用いられる。又、芳香剤５や防臭剤５は、粒状のものが容器内に点在するように設けられたり、小さな孔が多数開けられた紙等に包まれた状態で容器内に配置される。又、クッション材４としては、綿や、合成樹脂製の繊維を絡める等して形成することができる。
【００１１】
次に、作用について説明する。先ず、容器２内にクッション材４を配置する。次に、クッション材４に花を刺すようにして、花３を安定した姿勢でクッション材４の上に配置する。次に、芳香剤５や防臭剤５を容器２内に配置する。この状態で、リビング等の室内の適宜の位置に配置する。
【００１２】
前記花３は、造花やドライフラワーとは異なって、生花を非腐食処理された花であるために、室内において、家人は、生花が配置されているという印象を受けることができて、人工的な印象ではなく、自然な印象を受ける環境の中で生活することができる。
【００１３】
又、芳香剤５や防臭剤５の効き目が弱くなったり、効き目がなくなった場合には、芳香剤５や防臭材５を適宜交換する。
【００１４】
以上説明したように、本考案に係る実施形態においては、生花を非腐食処理した状態で用いることができるため、家人は、ドライフラワーや造花から受ける人工的な雰囲気の中ではなく、生花から受ける自然な雰囲気の中で生活することができる。
【００１５】
以上の説明では、生花を用いた場合について説明したが、花３をつけない植物を用いることも可能である。
【図面の簡単な説明】
【００１６】
【図１】本考案の実施形態を示す外観図である。
【符号の説明】
【００１７】
１  芳香・防臭具
２  容器
３  花
４  クッション材
５  芳香剤・防臭剤
【図１】
0003136195.tif 000003
(57)【要約】  【課題】      本考案は、工事現場における構造物の出来形写真を撮る際に、ピンポールを標尺の前面で合わせる作業を人手で行っていたが、撮影時に測定数値の表示位置がずれたりする等して人手や手間がかかっていたものを減らすことができ、巻尺式標尺にも固定できるものである。  【解決手段】        本考案はパイプ状のピンポール挿入部６にピンポール７を挿入し、上部にあるピン支持部３を支点とする固定部材４にバネ５を利用して押える機能を持たせた標尺固定部２とピンポール７で標尺８を挟んでピンポールを標尺に固定する為、固定には今までよりは格段に人手や手間がかからずにでき複数箇所の測定数値の表示も簡単にできる。また巻尺式標尺のような薄いものでも取付けられる。  【選択図】  図３
0003136194.tif 000002
【実用新案登録請求の範囲】
【請求項１】
パイプ状のピンポール挿入部を有し、上部にピン支持部を設けてそこを支点とする固定部材を取付け、バネを利用して標尺固定部が押える機能を有するピンポール固定具。
【考案の詳細な説明】
【技術分野】
【０００１】
本考案は、ピンポールを標尺に固定する固定具に関するもの
【背景技術】
【０００２】
工事現場における構造物等の出来形写真を撮る際に、ピンポールを標尺の前面で合わせる作業を人手で行っていたが、人手の為に撮影時にずれてしまい撮りなおししていた。そこで、標尺に取付けるピンポールの支持具が考案されているが表示箇所が複数になる場合に固定の手間がかかる為か一般化されていないようである。その他に巻尺式標尺で固定できるものがない。
【特許文献１】特許公開２００３−１８５４３７号
【特許文献２】実用新案第３００７３８７号
【考案の開示】
【考案が解決しようとする課題】
【０００３】
・  ピンポールが撮影の際に測定値の表示位置のずれを防止。
・  表示箇所が複数になる場合の固定の手間がかからないようにする。
・  巻尺式標尺での数値表示の固定
以上の様な問題点を解決しようとするものである。
【課題を解決するための手段】
【０００４】
本考案は、パイプ状のピンポール挿入部６の上部にピン支持部３を設けてそこを支点とする固定部材４にバネ５を利用して押える機能を持たせた標尺固定部２とピンポール７で標尺を挟んでピンポール７を固定することができる固定具１により前述の問題点を解決しようとするものである。標尺固定部２はゴム製のスベリ止めを有する。
【考案の効果】
【０００５】
本考案は、ピンポールの標尺測定値の表示ずれを防止し、固定の手間が少なく複数箇所の測定値表示でも容易にできる。また巻尺式の標尺にも挟んで固定するだけである為に対応できる。
【考案を実施するための最良の形態】
【０００６】
本考案は、パイプ状のピンポール挿入部６にピンポール７を挿入し、上部にあるピン支持部３を支点とする固定部材４にバネ５を利用して押える機能を持たせた標尺固定部２とピンポール７で標尺８を挟んでピンポールを標尺に固定し標尺測定値の表示をする。
【実施例】
【０００７】
図１はパイプ状のピンポール挿入部６の上部にピン支持部３を設けてそこを支点とする固定部材４を取付け、バネ５を利用して押える機能を持たせた標尺固定部２で固定する固定具である。
【０００８】
図２はパイプ状のピンポール挿入部６にピンポール７を挿入したところで標尺固定部２により押えているので外れることはない。
【０００９】
図３は固定具１にピンポール７を挿入取付けし、ピンポール７と固定部材３を押さえながら標尺固定部２を開き標尺固定部２とピンポール７で標尺９を挟んでピンポール７を標尺に固定した図で固定は簡単にできる。標尺固定部２はゴム製のずれ防止によりピンポール７の数値表示の位置ずれはなくなる。
【００１０】
図４は図３の側面図であるが、挟んで固定の為、薄い巻尺式の標尺にも固定できる。
【００１１】
図５は複数箇所に使用したものであるが、ピンポール７に固定具１を取付けていれば簡単に複数箇所でも標尺８に固定でき測定値の表示ができる。
【産業上の利用可能性】
【００１２】
公共工事の減少・工事単価の下落など業界は厳しい状況の中にあり、経費の節減を言われているなかで、生産性のない作業で人手・手間が減らせることができるという点、本考案の製造コストも低価格の製品となる点により利用価値がある。
【図面の簡単な説明】
【００１３】
【図１】ピンポール固定具を示す全体図
【図２】固定具をピンポールに取付けた図
【図３】標尺に固定具を利用してピンポールを固定した正面図
【図４】標尺に固定具を利用してピンポールを固定した側面図
【図５】ピンポール固定具を複数箇所使用した図
【符号の説明】
【００１４】
１    固定具
２    標尺固定部
３    ピン支持部
４    固定部材
５    バネ
６    ピンポール挿入部
７    ピンポール
８    標尺
９    構造物
【図１】
0003136194.tif 000003
【図２】
0003136194.tif 000004
【図３】
0003136194.tif 000005
【図４】
0003136194.tif 000006
【図５】
0003136194.tif 000007
(57)【要約】【課題】  地震等により墓石の破損、倒壊を防止、補強をする。【解決手段】  墓石４に予め穴等を明けておき、墓石４の穴にＬ形金具１の長孔３と穴を合わせ接続ボルト５で締め付ける事により地震等の揺れや衝撃の際も墓石の破損、倒壊を防止出来き、また従来品とほぼ同形状であるために施工に関する新工法の教育等も不要である。【選択図】  図２
0003136197.tif 000002
【実用新案登録請求の範囲】
【請求項１】
Ｌ形金具の平面部にビードを設けた事を特徴とする墓石用Ｌ形金具
【考案の詳細な説明】
【技術分野】
【０００１】
本考案は墓石用接続金具に関するものである。
【背景技術】
【０００２】
墓石が地震等で破損、倒壊を補強防止し、また墓石を固定する為に使用されるが、従来のＬ形金具では平面部は長孔が明いているだけで、強度上問題があった。
【特許文献１】実登３１００６６４号公報
【考案の開示】
【考案が解決しようとする課題】
【０００３】
従来のＬ形金具では金属板をＬ形に曲げたのみで、強度上の問題は特に解決されていな
かった。
【課題を解決するための手段】
【０００４】
本考案は従来のＬ形金具の平面部にビードを設ける事により金属強度向上させ曲げ、たわみ等の力に対し強固な特性を発揮できる。
【考案の効果】
【０００５】
従来のＬ形金具に対してはビードを入れたことにより曲げ、たわみ強度が格段に向上し、且つ、金属板厚を薄く出来る事によりコストダウンも可能になる。
【０００６】
また従来からのビード無しのＬ形金具とほぼ同形状であるため、施工時に新たに新工法
を使用することが無い為に、作業者の教育等不要である。
【考案を実施するための最良の形態】
【０００７】
本考案を実施するための最良の形態は図面をもって説明する。
【０００８】
使用方法としては従来からのＬ形金具と同様の使用方法であり、図２の通りに墓石４に予め穴等を明けておき、その穴にＬ形金具１の長孔３とを合わせ接続ボルト５で締め付けるのみで、従来のビード無しＬ形金具より強強度を容易に得る事が可能となる。
【図面の簡単な説明】
【０００９】
【図１】Ｌ形金具本体斜視図
【図２】使用状態を示した斜視図
【符号の説明】
【００１０】
１    Ｌ形金具
２    ビード
３    長孔
４    墓石
５    接続ボルト
【図１】
0003136197.tif 000003
【図２】
0003136197.tif 000004
(57)【要約】【課題】墓参の際、墓前に火を灯すための束線香に着火するためのマッチを忘れないようにすること。【解決手段】複数本の線香２を束にして帯状の巻紙３で巻き、その線香束２ａの一端面側で、線香２の間隙に、火力増大用の蝋燭５を、その頭部を突出させた形で挿入した束線香１０の、前記線香２とともに着火用のマッチ棒１を前記巻紙３に巻いて付加し、かつ、その巻紙３の表面に、赤燐などの側薬４を塗布する。このような構成を採用すれば、必然的にマッチ（マッチ棒１と側薬４）も用意されることになり、別途、マッチ（マッチ棒１と側薬４）を用意する面倒さがないとともに、マッチを忘れることもない。【選択図】図１
0003136171.tif 000002
【実用新案登録請求の範囲】
【請求項１】
複数本の線香を束にして帯状の巻紙で巻き、その束の一端面側で、前記線香の間隙に、火力増大用の蝋燭と、その蝋燭への着火の促進を図るマッチ棒とが、それらの頭部を突出させた形で挿入された束線香において、
着火用のマッチ棒が、前記線香とともに前記巻紙に巻かれて付加されており、その巻紙の表面に、赤燐などの側薬が塗布されていることを特徴とする束線香。
【考案の詳細な説明】
【技術分野】
【０００１】
本考案は、線香に係り、特に、複数の線香を束にして帯状の巻紙で巻いた束線香に関する。
【背景技術】
【０００２】
上記束線香については、その着火力を強めたものなど、下記の公知文献（特許文献１、２）に開示されたものがある。
【０００３】
このものは、先ず、特許文献１に開示された束線香は、着火側の端面の線香束の中心寄りの間隙に、火力増大のための蝋燭を挿入している。この蝋燭により火力が増すので、速やかに着火して、火が線香束の半径方向中心まで確実に行渡る、という効果がある。
【０００４】
また、特許文献２に開示されたものは、同じく着火側の束端面の最外周に位置する線香を、残りの線香の束端面よりも束の軸方向に所定長さ突出させた構成を採っている。このことにより、最外周の突出した線香は空気との接触面積が大きいので、残りの線香よりも短時間のうちに着火し、さらに、残りの線香については、最外周の線香からの放射熱により迅速に着火し、全体としても従来の束線香より容易に着火する、という効果がある。
【特許文献１】特開２００４−１１５３７３号公報
【特許文献２】特開２００７−１１２７３１号公報
【考案の開示】
【考案が解決しようとする課題】
【０００５】
しかしながら、そのような工夫がなされた束線香であっても、墓参の際、それに火を着けるための肝心のマッチ（マッチ棒と、マッチ箱の側面に塗布された側薬）を忘れてしまうと、それらのことが全く台無しになってしまう。墓参の際には、マッチという、言わば脇役の存在は忘れがちになるものである。
【０００６】
そこで、この考案の課題は、墓参の際、マッチを忘れないようにすることにある。
【課題を解決するための手段】
【０００７】
上記課題を解決するために、本考案は、複数本の線香を束にして帯状の巻紙で巻き、その束の一端面側で、線香の間隙に、火力増大用の蝋燭と、その蝋燭への着火を促進するためのマッチ棒とを、それらの頭部を突出させた形で挿入した束線香において、着火用のマッチ棒が、前記線香とともに前記巻紙に巻かれた形で付加されており、その巻紙の表面に、赤燐などの側薬が塗布されている構成を採用したのである。
【０００８】
このようにしたので、上記束線香を用意すれば、必然的にマッチ（マッチ棒と側薬）も用意されることになる。
【考案の効果】
【０００９】
本考案は、上記のような構成を採用したので、上記束線香を用意すれば、墓参の際、別途、マッチ（マッチ棒と側薬）を用意する必要が無いので、それを用意する面倒さがないとともに、マッチを忘れることもない、という効果がある。
【考案を実施するための最良の形態】
【００１０】
以下、本考案の実施の形態を、図面を参照して説明する。図１は、本実施形態の束線香１０の図である。従来の一般の束線香は、複数本の線香を束にして帯状の巻紙で巻いただけのものであるが、本考案を適用した本実施形態の束線香１０は、着火用のマッチ棒１を２本、線香２とともに前記巻紙３に巻いて、線香束２ａに付加したものである。
【００１１】
さらに、本実施形態の特徴は、その巻紙３の表面に、側薬４として赤燐を塗布していることである。このようにしたので、この巻紙３に巻いて添えた前記着火用のマッチ棒１とともに、側薬４も用意されているので、このマッチ棒１と側薬４によって発火させることができ、墓参の際に、別途、マッチ（マッチ棒１と側薬４）を用意する面倒さが無く、また、忘れることもない。
【００１２】
これらに加え、本実施形態ではまた、その線香束２ａの一端側の面の中央の線香２の間隙に、火力増大用の蝋燭５と、その蝋燭５の着火を促進するマッチ棒６を、それらの頭部を突出させた形で挿入している。このようにしたので、墓前では、図２（ａ）に示すように、先ほどの着火用のマッチ棒１を用い、それを巻紙３の側薬４に擦って発火させ、図２（ｂ）に示すように、線香束２ａの一端に挿入された火力増大用の蝋燭５と、それに対する着火を促進するためのマッチ棒６に着火させる。
【００１３】
火力増大用の蝋燭５とともにあるこの着火促進用のマッチ棒６により、火力増大用の蝋燭５に対する着火がスムーズに行われ、この蝋燭５が発火すると、その強い火力によって、線香束２ａへの着火がスムーズに、確実に行われる。
【産業上の利用可能性】
【００１４】
本考案は、墓前に火を灯すための束線香に広く適用可能である。
【図面の簡単な説明】
【００１５】
【図１】実施形態の束線香の図である。
【図２】(ａ)にマッチ棒を発火させるための操作を示し、(ｂ)に束線香の一端側に着火させる様子を示した図である。
【符号の説明】
【００１６】
１、６    マッチ棒
２    線香
２ａ    線香束
３    巻紙
４    側薬
５    蝋燭
１０    束線香
【図１】
0003136171.tif 000003
【図２】
0003136171.tif 000004
(57)【要約】【課題】釣り針収納ケースのマットの切り込みに差し込んだ糸付き釣り針の糸が左右に曲がって、他の針や釣り糸に被らないように、直線状に収納する。【解決手段】釣り針収納ケースのマットに釣り糸を直線状に収納するための溝を設け、前記溝の中心線に釣り針を差し込む切り込みを入れる事により、糸付き釣り針の釣り糸を直線状に収納する事ができる。【選択図】図４
0003136184.tif 000002
【実用新案登録請求の範囲】
【請求項１】
マットに釣り針を差し込んで保持する釣り針収納ケースにおいて、前記マットにハリスを直線状に収納できる為の
溝を設けたことを特徴とする釣り針収納ケース。
【考案の詳細な説明】
【技術分野】
【０００１】
本考案は、糸付き釣り針をマットに差し込んで保持する釣り針収納ケースに関するものである。
【背景技術】
【０００２】
糸付き釣り針を収納するケースの中で、ウレタン等のマットに釣り針を差し込んで保持するケースの場合、マットに数本の切り込みを入れ、その切り込みに釣り針を差し込んで保持する。このタイプの収納ケースは糸を伸ばした状態で収納できるのが利点の一つである。通常、切り込みはマットの長手方向に入れ、各釣り針を適当な間隔を開けて切り込みに差し込んでいく。釣り針を差し込む方法は釣り糸がマットの中心に向かうように、中心より上側と下側で釣り針の向きを逆方向にして差し込む。一般的に切り込み線１本に対して、上側、下側各５−７本、計１０−１４本位の釣り針を差し込む事が出来る。
【０００３】
図１は、糸付き釣り針を収納するケースに釣り針を差し込んだ状態を示したものである。１はマット、２は切り込み線、３は３本錨針、４は釣り糸、５は収納ケースを表している。図１のように順次、切り込み線に釣り針を差し込んでいくと釣り糸が右や左に曲がり、マットの上に乱雑に広がる。そして隣の切り込みに差した釣り針や釣り糸と重なる。  その為、釣り針を取り出し難くなるという欠点があった。また、釣り糸が乱雑に広がっている光景は見た目にも悪い。
【０００４】
素早く、釣り針を取り出したいのに、思うようにいかないというのは非常にストレスがかかるものであり、釣り場で、針を交換する場合、容易に釣り針を収納ケースから取り出せないというのは、大きな欠点である。
【考案の開示】
【考案が解決しようとする課題】
【０００５】
解決しようとする問題点は、マットに順次、釣り針を差し込んでいくと、釣り針に結んでいる釣り糸が乱雑に左右に曲がり、隣の切り込み線に差し込んだ釣り針や釣り糸に被り、釣り針を取り出し難くなるという点である。
【課題を解決するための手段】
【０００６】
本考案は、マットに釣り糸を収納する為の深さ１−３ｍｍ、幅５ｍｍ程度の溝を掘り、前記溝の中心線に切り込み線を入れることを特徴とする。
【考案の効果】
【０００７】
本考案の釣り針収納ケースは、マットに釣り糸を収納するための溝を設けているので、釣り針収納時に釣り糸が溝の中に収納され、
乱雑に広がることがないので、隣の切り込み線に差し込んだ釣り針や釣り糸に掛かることがない。その為、釣り糸が曲がらず、釣り針をスムーズに取り出すことが出来る。
【考案を実施するための最良の形態】
【０００８】
糸付き釣り針を、釣り糸が乱雑に広がらず、整然と収納出来、釣り針をスムーズに取り出せるようにするという目的を、シンプルな方法で実現した。
【実施例】
【０００９】
図２は、本考案釣り針収納ケースのマットの断面図であって、１はマット、２は切り込み線、６は釣り糸収納溝である。
マットの素材はウレタンが望ましい。
【００１０】
溝の形成は、あらかじめ溝を形成出来るような金型を作り、前記金型で溝付きマットを製造するのが一番良いが、汎用品の表面が平らなマットを使う場合は、（１）溝の形状に合った焼きゴテでマットの表面を溶かして溝を形成する、（２）刃物等でマットを削り、溝を形成する、（３）マットの長手方向の長さに合わせてカットした細長いマット２枚を、形成したい溝の幅分だけ間隔を開けて貼り合わせすことにより、溝を形成する、というような方法で溝を形成することも出来る。溝の幅は５ｍｍ程度、深さは１−３ｍｍが望ましい。
【００１１】
次に、釣り針を差し込む為の切り込みを各溝の真ん中にカッター等で入れる。切り込みの深さは、釣り針の先がすっぽり入るように１ＣＭ位が望ましい。
【００１２】
図３は鮎釣り用の３本錨針の使用例である。３本錨針の１本の針を切り込みに差し込み、釣り糸を溝に這わせる。そして、下方に適当な間隔を開けて、次の３本錨を切り込みに差し込んで、釣り糸を溝に這わせる。このように、順次、３本錨を切り込みに差し込んでいっても
釣り糸が直線状に収納され、曲がらず、乱雑に広がらないので、隣の切り込みに差し込んだ釣り針や釣り糸に被る事がない。また、溝に釣り糸が直線状に収まっているので、見た目にもすっきりする。
【産業上の利用可能性】
【００１３】
主に、鮎釣り用糸付き３本錨針、４本錨針を収納する場合に収納ケースのマットに設けた溝によって、前記溝に糸付き釣り針の糸を直線状に整然と収納する事が出来、釣り糸が乱雑に左右に広がらない。
【図面の簡単な説明】
【００１４】
【図１】従来の釣り針収納ケースに３本錨針を収納した状態を示した図
【図２】本考案釣り針収納ケースのマットの断面図
【図３】本考案釣り針収納ケースに３本錨針を収納した状態を示した図
【図４】本考案釣り針収納ケースの斜視図
【符号の説明】
【００１５】
１    マット
２    切り込み線
３    ３本錨針
４    釣り糸
５    収納ケース
６    釣り糸収納溝
【図１】
0003136184.tif 000003
【図２】
0003136184.tif 000004
【図３】
0003136184.tif 000005
【図４】
0003136184.tif 000006
(57)【要約】【課題】  流入防止板を設けた屋外フードにおいて、雨水が屋内ダクトに流入するのを確実に防止するための簡便な付加的構造を提供すること。【解決手段】  下端の開口２から屋外フード１０内に浸入した雨水が基部開口１から排出口ａを経て換気ダクトＡ内に流入するのを防止するために、屋外フード１０の基部開口１に設けられた雨水流入防止板４に水返し４２を設けた。【選択図】  図１
0003136126.tif 000002
【実用新案登録請求の範囲】
【請求項１】
屋内ダクトとの連結基部の開口に開口の内方に向けて取り付けた水浸入防止板を有する屋外フードにおいて、水浸入防止板の端部にのき状の「水返し」を形成した設けた屋外フード。
【請求項２】
水浸入防止板と屋内ダクトとを連結ボルトによって連結した請求項１に記載の屋外フード。
【請求項３】
水浸入防止板とは別個に屋内ダクトとの連結部材を屋内ダクト設け、連結ボルトによって屋内ダクトと屋外フードを連結した請求項１に記載の屋外フード。
【考案の詳細な説明】
【技術分野】
【０００１】
本考案は、屋内に配置された排気あるいは吸気ダクトと連結されて、雨水の屋内ダクトへの浸入を防止するための「ウエザーカバー」とも称せられる屋外フードに関する。
【背景技術】
【０００２】
従来、屋内の排気あるいは吸気ダクトと連結された屋外フードは、通常、建家の外部で下方に湾曲し先端に開口を有し、屋内ダクト内に雨が入り込まないようになっている。
【０００３】
ところが、屋外フードの外面に沿って落ちる雨滴は、強風時には、先端開口から屋外フード内に逆流して入り、その内壁を伝って屋内ダクト内に入り、ダクトに取り付けられたモータ内に浸入して種々の不都合を生じることがある。
【０００４】
このため、従来、屋外フードには、屋内ダクトとの連結部分近くの内壁の周囲に水浸入を防止するための防止板を配置したものがある。
【考案の開示】
【考案が解決しようとする課題】
【０００５】
ところが、現実には、このような水浸入を防止する板を配置した屋外フードにおいても、防止板を乗り越えて雨水が屋内ダクトに浸入する場合がある。
【０００６】
そのため、水浸入防止板を高くして逆流する雨水が防止板を乗り越えないようにする方策が採られていたが、屋内ダクトと連結する屋外フードの径を大きくする必要があり、そのための材料費、加工賃が高くなったり、屋外フードの雨水排除の効率が低減する問題がある。
【０００７】
この考案において解決しようとする課題は、係る流入防止板を設けた屋外フードにおいて、雨水が屋内ダクトに流入するのを確実に防止するための簡便な付加的な構造を提供することにある。
【課題を解決するための手段】
【０００８】
この考案は、屋内ダクトの屋外への放出開口近くで、連結部開口の内部周壁に雨水流入防止板を設けた屋外フードにおいて、前記雨水流入防止板の内側先端に、屋外フードの内部に向いた庇状板を逆Ｌ状に形成したことを特徴とする。
【０００９】
この逆Ｌ状に形成したのき（庇）状板を雨水流入防止板の先端に形成することによって、屋外フードの先端開口から逆流してきた雨水は、雨水流入防止板によって止められ、屋内ダクトへの逆流雨水の流入は完全に防止できる。
【００１０】
また、この雨水流入防止板を屋内ダクトとの接合部に設けた際、この雨水流入防止板を利用して屋外フードを屋内ダクトとの連結接合に利用することができる。
【考案の効果】
【００１１】
この考案は、雨水流入防止板に単に逆Ｌ状にのき（庇）状板を設けることによって、屋外フード内を逆流する雨水の屋内ダクトへの流入を防止することができる。
【考案を実施するための最良の形態】
【００１２】
以下、この考案の実施形態を実施例によって説明する。
【実施例】
【００１３】
図１は、断面が４角の屋内の換気ダクトＡの排出口ａに取り付けた本考案の屋外フード１０を断面によって示す図であり、図２は図１のＸ−Ｘ線による正面から見た図を示す。
【００１４】
図１および図２において、フード１０は、換気ダクトＡの排出口ａと接合した基部開口１から、下方に湾曲して、その下端の開口２には、虫類や野鳥の侵入を防止するために、ステンレス製の網３が取り付けられている。このフード１０によって、降雨の際には、雨水はフード１０の外面を伝って流れ落ち、屋内ダクトＡ内への雨水の流入は防止されることになる。
【００１５】
ところが、降雨時にはフードの外面を伝って流れ落ち雨水は、風向きによっては、下端の開口２から屋外フード１０内に浸入し、さらには、基部開口１から屋内ダクトの開口ａを経て、換気ダクトＡ内に流入し、ダクトの送風機Ｂを傷めることがある。
【００１６】
４は、この下端の開口２から屋外フード１０内に浸入した雨水が基部開口１から排出口ａを経て換気ダクトＡ内に流入するのを防止するために、屋外フード１０の基部開口１に設けられた雨水流入防止板を示す。
【００１７】
この雨水流入防止板４は、これを拡大して示す図３のように、屋内ダクトＡの排出口ａと接する屋外フード１０の基部開口１の内周に、開口の内側に半径方向に向かって形成され、屋外フード１０と溶接されている本体４１からなり、この本体４１の先端に一体的に屋外フード１０の内方に向かって形成されている「水返し」４２を形成している。この「水返し」４２によって、屋外フード１０内に浸入した雨水は跳ね返されて、屋内ダクトＡ内に浸入することはない。
【００１８】
また、この雨水流入防止板４は、その本体４１に取り付け穴を設け、これに取り付けボルト５を通すことによって屋内ダクトＡとの接合に利用することができる。
【００１９】
図４は、本考案の屋外フード１０と屋内ダクトＡとの他の接合態様を示す。この例の場合は、雨水流入防止板４の外面にＬ字型の取り付け具６を溶接によって設け、これを利用してボルト５によって、屋内ダクトＡに取り付けることもできる。
【産業上の利用可能性】
【００２０】
上記実施例においては、ダクトおよび屋外フードの断面形状が４角形のものついて説明したが、４角形に限らず４角形以外の多角形および円形のものにでも適用できる。
【図面の簡単な説明】
【００２１】
【図１】本考案の屋外フード側面を断面によって示す。
【図２】図１のＸ−Ｘ線から見た正面図を示す。
【図３】雨水流入防止板の屋外フードと屋内ダクトとの取り付け状態を示す。
【図４】雨水流入防止板と屋内ダクトとの取り付け状態の他の形態を示す。
【符号の説明】
【００２２】
Ａ  屋内ダクト
Ｂ  送風機
ａ  屋内ダクトの開口
１  基部開口
２  下端の開口  
３  ステンレス製の網
４  雨水流入防止板      ４１  本体    ４２  水返し  
５  取り付けボルト
６  取り付け具
１０  屋外フード
【図１】
0003136126.tif 000003
【図２】
0003136126.tif 000004
【図３】
0003136126.tif 000005
【図４】
0003136126.tif 000006
(57)【要約】【課題】小学生の誘拐を防止する事【解決手段】ランドセルに発煙筒を取り付けベルトを引く事により燐寸に発火して煙を出す様にした。【選択図】図１
0003136130.tif 000002
【実用新案登録請求の範囲】
【請求項１】
ランドセルに発煙筒を取り付けベルトを引く事により発火して煙を出す事を目的とした発煙筒付ランドセル。
【考案の詳細な説明】
【技術分野】
【０００１】ランドセルに発煙筒を取り付け非常時に煙を出す様にする
【背景技術】
【０００２】ベルトを引く事により発煙筒に発火して煙が出る様にした。
【考案の開示】
【考案が解決しょうとする課題】
【０００３】小学生の登校、下校の際に誘拐される事を防止する
【課題が解決する為の手段】
【０００４】ランドセルから煙が出る事により車の誘拐に関しては車内に煙が充満して運転が出来なくなり、又ランドセルを廃棄した時は他人の目につきやすい為。
【考案の効課】
【０００５】小学生の誘拐を防止する
【考案の実施するための最良の形能】
【０００６】ランドセルの横の袋に発煙筒を組込み、ベルトにスイッチとなる接点を取り付ける。
【実施例】
【０００７】ランドセルに付けたベルトを引く事によりスイッチとなる接点が接触して電気が流れ燐寸の中に組み込んであるニクロム線が発熱して発火する様にした。
【図面の簡単な説明】
【０００８】
【図１】発煙筒を組み込んだランドセルの全体図
【符号の説明】
【０００９】  １．ランドセル全体図          ８．安全ピン
２．発煙筒収納場所            ９．配線
３．発煙筒                  １０．ニクロム線
４．発火スイッチ用ベルト    １１．スイッチ用接点
５．発火スイッチ用接点
６．燐寸
７．電池
【図１】
0003136130.tif 000003
【手続補正書】
【提出日】平成19年5月18日(2007.5.18)
【手続補正１】
【補正対象書類名】実用新案登録請求の範囲
【補正対象項目名】全文
【補正方法】変更
【補正の内容】
【実用新案登録請求の範囲】
【請求項１】
ランドセルの補助ベルトにステッチを組こんで取り付けることにより、ランドセルがおろしずらく又補助ベルトを引くことにより、ステッチがＯＮして発煙筒の燐寸に発火して煙をだすことを目的とした発煙筒付ランドセル。
【手続補正書】
【提出日】平成19年7月17日(2007.7.17)
【手続補正１】
【補正対象書類名】実用新案登録請求の範囲
【補正対象項目名】全文
【補正方法】変更
【補正の内容】
【実用新案登録請求の範囲】
【請求項１】
ランドセルに発煙筒を取り付け点火スイッチを組み込んだベルトを引く事により電流がニクロム線に流れ発火して煙を出す事を目的とした発煙筒付ランドセル。
(57)【要約】【課題】  物体表面から放射する波動１は物体表面２が凹凸状では分散および打つ消し合うことから、弱い波動１となるので、波動１の分散を少なくして強い波動を造り出すことを考えだした。【解決手段】  波動１の分散を少なくする手段として、物体表面２を鏡のように平滑な表面とすることで、物体表面２から放射する波動１の指向性を直角方向の一定方向に揃えることによって、強力な波動１が放射物体表面から放射できるようにした。【選択図】図２
0003136135.tif 000002
【実用新案登録請求の範囲】
【請求項１】
波動を放射（１）する物体の表面（２）を鏡面のように平滑として、波動を直角方向に揃えることによって強力をした放射物体。
【考案の詳細な説明】
【技術分野】
【０００１】  本考案は、波動（気のエネルギー）を放射する物体からの波動を強力にすることに関するものである。
【背景技術】
【０００２】  ゲルマニウム、トルマリン、酸化チタン等の物体の表面からは人体に有益な波動が放射されている。【０００３】  従来は波動が物体の表面から直角方向に放射されるという認識が多かった為、放射物体の放射面は図１の様に表面が滑らかでない場合が多く、波動は多方向に放射するので、物体から放射する波動が分散し互いに打ち消し合って弱められ強力な波動が得られないといった問題点があった。【０００４】
【特許文献１】  特になし
【考案の開示】
【考案が解決しようとする課題】
【０００５】  本考案は上記問題点を解消するために、物体の表面から放射する波動を直角方向の一定方向に揃えて放射するようにしたものを提供することを目的としている。
【課題を解決するための手段】
【０００６】  上記目的を達成するために、放射物体の表面を鏡のように超平滑にして、波動を直角方向に揃えて放射させることによって、波動が弱められることなく、物体自体の持つ波動をそのまま取り出して放射させるようにしたものである。
【考案の効果】
【０００７】  本考案は以下に記載されたような効果を奏する。
波動が直角方向の一定方向に放射されることから波動の指向性が揃い、物体から放射する波動が強力となることで、従来、波動が出ていないと思われていた物体でも波動を感じるようになった。
【実施例】
【０００８】  波動１は物体表面２から直角方向に放射されることから図１に示すように、物体表面２が凹凸となっていると、凹凸状の表面に沿った直角方向に放射される波動１は多方向に分散して指向性が揃わないので互いに打消し合って弱められることから、波動１の力は弱いものとなる。【０００９】  図２に示すように、放射物体の表面２が鏡のように平滑になればなるほど波動１の指向性が揃うことから、波動１が互いに打ち消し合うことがないので、物体表面２に対して直角方向から強力な波動が放射される。【００１０】  凹凸状の表面２と鏡面状の表面２とから放射する波動１の強力度合いを検査する手段として、０−リングテストと言った方法が使われている。０−リングテストは物体がら出る波動１が人体に有益か無益か、また人体の健康状態を測る手段である。波動１は人体に影響して健康状態を良くすることから、０−リングテストでは良い結果がえられる。【００１１】  そこで、０−リングテストをすると、人体は放射物体の凹凸状の表面２から放射される波動１を受けた時よりも、鏡面状の表面２から放射される波動１を受けた時の方が健康状態が良いといった検査結果が得られた。
【産業上の利用可能性】
【００１２】  本考案は従来のゲルマ二ウム、トルマリン、酸化チタンなどの波動の放射によって人体の治療をしようとする以外にも、従来あまり波動が出るとは考えられていなかったシリコン、タングステンなどでも表面を平滑にすることで、従来の波動を放射する物体に匹敵する物体を各種製造することが可能になった。
【図面の簡単な説明】
【図１】  従来の波動放射物体の表面と放射状態を示すものである。
【図２】  本考案の波動放射物体の表面と放射状態を示すものである。
【符号の説明】
１    波動の放射方向
２    放射物体の表面
【図１】
0003136135.tif 000003
【図２】
0003136135.tif 000004
【手続補正書】
【提出日】平成19年7月7日(2007.7.7)
【手続補正１】
【補正対象書類名】実用新案登録請求の範囲
【補正対象項目名】全文
【補正方法】変更
【補正の内容】
【実用新案登録請求の範囲】
【請求項１】
波動を放射（１）する物体の表面（２）を鏡面のように平滑として、波動を直角方向に揃えた放射物体。
(57)【要約】【課題】  本考案は単なる日記帳ではなく、認知療法のコラム欄をその日記帳に設けることにより精神的療法を行うとするものである。【解決手段】  本考案は、通常日記欄１にコラム欄２を併設することにより、その効果を具現化しようとするものである。【選択図】図１
0003136139.tif 000002
【実用新案登録請求の範囲】
【請求項１】
状況欄、感情欄、自動思考欄、反論欄、解消のための戦略案欄をもつコラム欄を通常の日記帳に付随させた日記帳。
【考案の詳細な説明】
【技術分野】
【０００１】  本考案は、認知療法のコラム欄を設けた日記帳に関するものである。
【背景技術】
【０００２】  従来は、日常の出来事を、単にかくだけのものであった。
【考案が解決しようとする課題】
【０００３】  単に出来事を書くのみではなく、認知療法のコラムに書くことにより、精神的治療効果を得ようとするものである。
【課題を解決するための手段】
【０００４】  日記帳のページ中に通常の日記記載欄のほかに認知療法のコラム欄を設けてコラム欄を記入使用する事により、精神的治療効果が得られるものである。
【考案の効果】
【０００５】  いわゆる認知療法における精神的治療効果をもたらすのに役立つ。
【考案を実施するための最良の形態】
【０００６】  通常の日記を書く欄のほかにコラム欄を設ける。
【実施例】
【０００７】  以下、添付図面に従って一実施例を説明する。１は通常の日記欄であり、２はコラム欄であります。
【図面の簡単な説明】
【０００８】
【図１】本考案の実施例を示す正面図である。
【符号の説明】
【０００９】  １  通常日記欄
２  コラム欄
【図１】
0003136139.tif 000003
【手続補正書】
【提出日】平成19年7月3日(2007.7.3)
【手続補正１】
【補正対象書類名】実用新案登録請求の範囲
【補正対象項目名】全文
【補正方法】変更
【補正の内容】
【実用新案登録請求の範囲】
【請求項１】
日記帳の紙面の上部に、日記帳欄をもうけ下部にコラム欄をもうけたことを特徴とした日記帳
(57)【要約】【課題】あらゆる場所で手軽に安価で身体のリラックス感をはかれる器具。【解決手段】手の平で主に手足のツボを刺激して疲労感を和らげる。手の平のツボを刺激するには両手の平に本体符号１をはさみ本体を回転させる。そのことにより手の平のツボを刺激でき血流が良くなる。また足裏をマッサージするには本体符号１を足裏にのせ足裏で本体を回転させる。回転時に適度に足裏のツボを刺激でき足裏の疲労回復に役立つ。そして、両先端のツボ符号３で肩や首すじにピンポイントで指圧効果が得られる。【選択図】図１
0003136137.tif 000002
【実用新案登録請求の範囲】
【請求項１】
手足をマッサージすることにより疲労感を和らげ体全身をリラックスさせるための器具。
考案したマッサージ器はどこでも簡単に手足を中心に使用できる。
またマッサージ効果以外に本体の両端のツボで指先を刺激でき特に高齢者の脳の活動を良くすることが期待できる。
また本体は合成ゴムで構成されているので水のある所でも使用できる。
本体の両端部分にコマを付けているので簡単に足裏をマッサージできるようにしてある。
【考案の詳細な説明】
【技術分野】
【０００１】本考案は手足のツボを刺激して身体の血流を良くして疲労感を和らげ体全体をリラックスさせる。
【背景技術】
【０００２】いつでもどこでも効果的に手足のマッサージできる器具はなかった。
【考案の開示】
【考案が解決しようとする課題】
【０００３】手足の疲労を効果的に取り身体をリラックスさせるための器具
【課題を解決するための手段】
【０００４】ツボ付ローラーを手の平で回転させ手足の表面のツボを刺激することにより手足の血流を良好にし疲労感を取り除く。
【考案の効果】ツボ付ローラーが回転することにより確実に手足のツボを刺激して疲労回復に役立つ。
【図面の簡単な説明】
【図１】マッサージ器本体を示した平面図である
【図２】マッサージ器本体の断面図である。
【図３】マッサージ器本体を片端から見た図である。
【符号の説明】
１  マッサージ器本体
２  ツボ
３  両端のツボ
４  コマ
【図１】
0003136137.tif 000003
【図２】
0003136137.tif 000004
【図３】
0003136137.tif 000005
【手続補正書】
【提出日】平成19年7月17日(2007.7.17)
【手続補正１】
【補正対象書類名】実用新案登録請求の範囲
【補正対象項目名】全文
【補正方法】変更
【補正の内容】
【実用新案登録請求の範囲】
【請求項１】
柱体と、
前記柱体の外周面に複数設けられる第一の突起と、
前記柱体の両端のそれぞれに設けられる円板と、
前記円板の中心から外方に突出する第２の突起と
を有するマッサージ器具。